(57)【要約】【課題】正面側から取付位置を確認しながら機能部材を取り付けることができて、機能部材の取付位置がずれ難く、使い勝手の良い位置に機能部材を取り付けることができる取付構造を提供する。【解決手段】ボード表面４ａに同大同形の被嵌合凹部５を複数凹設し、被嵌合凹部５の開口部５ｆを開閉する開閉蓋６を被嵌合凹部５の奥面５ｇ側に回動自在となるよう開口部５ｆに枢支し、機能部材７に設けた被嵌合凹部５に嵌合する嵌合凸部８をいずれかの被嵌合凹部５に嵌合させると共に、被嵌合凹部５に嵌合凸部８を嵌合させた状態において、被嵌合凹部５の内側に開閉蓋６が位置するようにする。【選択図】図１
2011132698.tif 000002
【特許請求の範囲】
【請求項１】
ボード表面に同大同形の被嵌合凹部を複数凹設し、被嵌合凹部の開口部を開閉する開閉蓋を被嵌合凹部の奥面側に回動自在となるよう開口部に枢支し、機能部材に設けた被嵌合凹部に嵌合する嵌合凸部をいずれかの被嵌合凹部に嵌合させると共に、被嵌合凹部に嵌合凸部を嵌合させた状態において、被嵌合凹部の内側に開閉蓋が位置するようにしたことを特徴とする取付構造。
【請求項２】
上記被嵌合凹部の奥面と、上記嵌合凸部の先端部とを吸着させるようにしたことを特徴とする請求項１記載の取付構造。
【発明の詳細な説明】
【技術分野】
【０００１】
本発明は、浴室等の壁面パネルに機能部材を取り付けるための取付構造に関する。
【背景技術】
【０００２】
従来から、浴室等の壁面パネルの使い勝手の良い位置に、機能部材（シャワーフックや浴室用用品の収納棚等）を取り付けるものとして、特許文献１に記載の取付構造がある。この取付構造は、図５（ａ）、図５（ｂ）に示すようなものであり、下向きに開口し正面側からは見え辛い被取付部１０が連続して支持レール１１を形成している。その支持レール１１を壁面パネル２に水平に固定し、支持レール１１の被取付部１０に、機能部材７に設けた取付部１２を挿入して、機能部材７を壁面パネル２に取り付ける構造となっている。
【０００３】
このような構成であっては、被取付部１０は下向きに開口しているので、正面側からでは取付位置が見えず、機能部材７を手探りで取り付けなければならないという問題があった。また、被取付部１０は支持レール１１の長手方向に連続するので、シャンプー等をしていて目が見えない状態の使用者の手等が機能部材７に当たると、機能部材７の取付位置が長手方向にずれてしまうという問題があった。
【先行技術文献】
【特許文献】
【０００４】
【特許文献１】特開２００３−０９７０６９号公報
【発明の概要】
【発明が解決しようとする課題】
【０００５】
本発明は上記問題点に鑑みて発明したものであって、正面側から取付位置を確認しながら機能部材を取り付けることができて、機能部材の取付位置がずれ難く、使い勝手の良い位置に機能部材を取り付けることができる取付構造を提供することを課題とする。
【課題を解決するための手段】
【０００６】
上記課題を解決するために本発明の取付構造を、ボード表面４ａに同大同形の被嵌合凹部５を複数凹設し、被嵌合凹部５の開口部５ｆを開閉する開閉蓋６を被嵌合凹部５の奥面５ｇ側に回動自在となるよう開口部５ｆに枢支し、機能部材７に設けた被嵌合凹部５に嵌合する嵌合凸部８をいずれかの被嵌合凹部５に嵌合させると共に、被嵌合凹部５に嵌合凸部８を嵌合させた状態において、被嵌合凹部５の内側に開閉蓋６が位置するようにしたことを特徴とする。
【０００７】
このような構成とすることで、ボード表面４ａに凹設した被嵌合凹部５に機能部材７の嵌合凸部８を嵌め込むことができるので、使用者は正面側から取付位置を確認しながらボード４に機能部材７を取り付けることができる。ここで、ボード表面４ａの被嵌合凹部５の開口部５ｆには開口部５ｆを開閉する開閉蓋６が枢支してあるので、機能部材７を取り付けない状態では、開閉蓋６によって正面側に開口する被嵌合凹部５の開口部５ｆが閉じられて、正面側からは被嵌合凹部５の奥面５ｇが隠れた外観の良い状態とすることができる。また、開閉蓋６を被嵌合凹部５の奥面５ｇ側に回動自在となるよう開口部５ｆに枢支させたことで、機能部材７を取り付ける際、開閉蓋６を機能部材７の嵌合凸部８で押せば、開閉蓋６は被嵌合凹部５の奥面５ｇ側に回動して、被嵌合凹部５に嵌合凸部８を嵌合させることができる。よって、開閉蓋６を設けることで機能部材７の取り付けが面倒になることはない。また、被嵌合凹部５に嵌合凸部８を嵌合させた状態において、被嵌合凹部５の内側に開閉蓋６が位置するようにしたことで、機能部材７を取り付けた状態において、開閉蓋６が被嵌合凹部５の外側に出て外観を悪くするようなことはない。また、機能部材７は、ボード表面４ａに嵌合させて取り付けるので、不意に力がかかっても機能部材７の取付位置をずれ難くすることができる。また、ボード表面４ａには同大同形の被嵌合凹部５を複数凹設しているので、どの被嵌合凹部５にも機能部材７の嵌合凸部８を嵌合させることができ、複数の被嵌合凹部５の中から使用者にとって使い勝手の良い位置の被嵌合凹部５を選べば、ボード４の使い勝手の良い位置に機能部材７を取り付けることができる。
【０００８】
また、上記被嵌合凹部５の奥面５ｇと、上記嵌合凸部８の先端部８ａとを吸着させるようにすることが好ましい。
【０００９】
このように、被嵌合凹部５に嵌合凸部８を嵌合させるだけではなく、被嵌合凹部５と嵌合凸部８との間に吸着による保持力を生じさせることで、不意に力がかかっても機能部材７の取付位置をさらにずれ難くすることができる。
【発明の効果】
【００１０】
本発明の取付構造は、正面側から取付位置を確認しながら機能部材を取り付けることができて、機能部材の取付位置がずれ難く、使い勝手の良い位置に機能部材を取り付けることができる。
【００１１】
また、被嵌合凹部と嵌合凸部とを吸着させるようにすることで、不意に力がかかっても機能部材の取付位置をさらにずれ難くすることができる。
【図面の簡単な説明】
【００１２】
【図１】（ａ）は本発明の実施形態を示す浴室の正面図である。（ｂ）〜（ｄ）は同実施形態の機能部材の取付工程を示す側面図である。
【図２】同実施形態の開閉蓋を外した状態のボード表面を示し、（ａ）は正面図で、（ｂ）は側面図で、（ｃ）はボード表面に設けた被嵌合凹部の斜視図である。
【図３】同実施形態の開閉蓋を取り付けた状態の被嵌合凹部を示し、（ａ）は正面図で、（ｂ）は側面図である。
【図４】同実施形態の機能部材として収納棚を取り付ける様子を説明する平面図である。
【図５】（ａ）は従来の浴室の正面図である。（ｂ）は従来の取付構造を示す斜視図である。
【発明を実施するための形態】
【００１３】
本発明を添付図面に示す実施形態に基づいて説明する。
【００１４】
図１（ａ）に示す実施形態では、浴室１の洗い場の壁面パネル２に取り付けた鏡３の両側方と下方に正面視にて開口が上向きのコ字状に、本発明の取付構造を施工したボード４がビス等で取り付けられている。ここで、ボード４は壁面パネル２に一体成形されるようなものであっても構わない。本発明の取付構造は、図２（ａ）に示すように、ボード表面４ａに同大同形の被嵌合凹部５を左右方向及び上下方向に所定の間隔をおいて複数並列に凹設するものである。
【００１５】
被嵌合凹部５の正面視形状は、図２（ａ）に示すように、略台形形状になっている。すなわち上底辺５ａと下底辺５ｂとが略平行になっていて、上底辺５ａが下底辺５ｂより長く、上底辺５ａの中心の下方に下底辺５ｂの中心が位置している。そして、両側辺５ｃ，５ｃは、上底辺５ａの両端から、上底辺５ａの中心と下底辺５ｂの中心を結ぶ中心線（図示せず）に徐々に近づいて下底辺５ｂの両端に繋がる緩いカーブ線になっている。
【００１６】
また、被嵌合凹部５の側面視形状は、図２（ｂ）に示すように、略矩形形状になっている。被嵌合凹部５の底辺５ｄはボード表面４ａからボード裏面４ｂに向かって徐々に上方に位置するようにわずかに傾斜している。被嵌合凹部５の上辺５ｅは傾斜していない。被嵌合凹部５は、ボード４を貫通してはおらず、被嵌合凹部５の奥面５ｇとボード裏面４ｂと間にはボード裏板４ｃが残っている。
【００１７】
また、被嵌合凹部５の立体形状は、図２（ｃ）に示すような形状となっており、奥面５ｇ、両側面５ｈ，５ｈ、上面５ｊ、下面５ｋで構成される凹部形状となっていて、ボード表面４ａに近い開口部分を開口部５ｆとする。開口部５ｆの上下方向の長さ（上底辺５ａの中心と下底辺５ｂの中心を結ぶ中心線（図示せず）の長さ）は、被嵌合凹部５の奥行き（上面５ｊの上辺５ｅの長さ）より短い。下面５ｋの底辺５ｄは、上述の通り、ボード表面４ａからボード裏面４ｂに向かって徐々に上方に位置するようにわずかに傾斜しているので、被嵌合凹部５内に水が入ってもボード表面４ａ側に流れて、被嵌合凹部５内に水が溜まらないようになっている。
【００１８】
被嵌合凹部５の開口部５ｆには、図３（ａ）、図３（ｂ）に示すように、開口部５ｆを開閉する開閉蓋６が枢支されている。開口部５ｆ部分の被嵌合凹部５の両側面５ｈ，５ｈの上部には、枢支部５ｉ，５ｉが設けてあって、その枢支部５ｉ，５ｉに、開閉蓋６の両側端６ａ，６ａの上部に設けた被枢支部６ｂ，６ｂが枢支されている。開閉蓋６は、図３（ａ）に示すように、正面視にて上述の被嵌合凹部５の開口部５ｆと同形状であって、一回り小さく形成されていて、開口部５ｆを略隙間なく隠している。また、図３（ｂ）に示すように、開閉蓋６は、枢支部５ｉ，５ｉを中心に、被嵌合凹部５の奥面５ｇ側に回動自在となるよう開口部５ｆに枢支されている。なお、被嵌合凹部５の外側に回動可能としても構わない。
【００１９】
後述する機能部材７を取り付けない状態では、開閉蓋６は垂下し、開閉蓋表面６ｃは、ボード表面４ａと略面一になる。また、被嵌合凹部５の奥面５ｇ側には、被嵌合凹部５の上面５ｊに開閉蓋裏面６ｄが当接するまで回動することができる。ここで、上述した被嵌合凹部５の下面５ｋの傾斜は、枢支部５ｉ，５ｉを中心に被嵌合凹部５の奥面５ｇ側に開閉蓋６を回動させる際に、開閉蓋底面６ｅが下面５ｋに当たらない程度に傾斜している。開閉蓋６及び被嵌合凹部５の形状を、上述のように下方に近づくにつれて幅が狭まり、開閉蓋６の上下方向の長さが被嵌合凹部５の奥行きよりも短い形状とすることで、被嵌合凹部５の上面５ｊまで、被嵌合凹部５の両側面５ｈ，５ｈ及び下面５ｋ及び奥面５ｇに当たらずに開閉蓋６が回動できる。
【００２０】
次に、ボード表面４ａに設けた被嵌合凹部５に取り付ける機能部材７について説明する。
【００２１】
機能部材７（シャワーフック７ａ（図１（ｂ）参照）や浴室用用品の収納棚７ｂ（図４参照）等）には、開閉蓋６を被嵌合凹部５の内側に位置させた状態で、被嵌合凹部５の両側面５ｈ，５ｈに嵌合する嵌合凸部８が、溶接もしくは、一体成形によって取り付けられている。
【００２２】
嵌合凸部８は、図２（ｃ）に示す被嵌合凹部５のような立体形状となっており、開閉蓋６を被嵌合凹部５の内側に位置させた状態の被嵌合凹部５の両側面５ｈ，５ｈに嵌合するように、被嵌合凹部５よりも上下長さが短く形成される。嵌合凸部８の奥行きは、被嵌合凹部５の開口部５ｆから奥面５ｇまでの長さと略同じとなっている。
【００２３】
機能部材７の一例としてのシャワーフック７ａは、図１（ｂ）に示すように、シャワーヘッドの把持部（図示せず）をフックさせて引っ掛けるフック部７ａ１とその後端部７ａ２に取り付けられた１つの嵌合凸部８から形成される。このシャワーフック７ａを、ボード４に取り付けるには、図１（ｂ）〜図１（ｃ）に示すように、使用者は、まず、ボード４の正面側から、ボード表面４ａに設けられた被嵌合凹部５の開口部５ｆを開閉する開閉蓋６の手前に、シャワーフック７ａの嵌合凸部８を位置させる。次に、シャワーフック７ａの嵌合凸部８の先端部８ａで開閉蓋６を被嵌合凹部５の奥面５ｇ側に押していく。嵌合凸部８の先端部８ａが被嵌合凹部５の奥面５ｇまで挿入されると、開閉蓋６が被嵌合凹部５の内側で横向き姿勢になって、被嵌合凹部５の両側面５ｈ，５ｈで嵌合凸部８が嵌合され、ボード４にシャワーフック７ａが取り付けられる。ここで、嵌合凸部８は、開閉蓋裏面６ｄと被嵌合凹部５の下面５ｋで狭持されるように支持され、上下方向にも取付位置がずれ難いようになっている。
【００２４】
また、機能部材７の一例としての収納棚７ｂは、図４に示すように、浴室用用品を載置する受け部７ｂ１とその後端部７ｂ３に取り付けられた２つの嵌合凸部８から形成される。２つの嵌合凸部８，８の離間幅は、両嵌合凸部８，８が被嵌合凹部５，５に確実に嵌合できるように、嵌合される２つの被嵌合凹部５，５間の幅に合わせて決められる。受け部７ｂ１は、３枚の板から形成されていて、受け部７ｂ１の後端部７ｂ３側の端部の中心位置には水抜き用の貫通孔７ｂ２が形成されている。その貫通孔７ｂ２に近づくほど、下方に位置するように３枚の板は傾斜して貫通孔７ｂ２の上端に繋がっている。このような構成とすることで、収納棚７ｂに水が掛かっても、貫通孔７ｂ２から水が抜けて、収納棚７ｂに水が溜まらないようになっている。この収納棚７ｂを、ボード４に取り付けるには、２つの嵌合凸部８，８を、その嵌合凸部８，８と対向する位置にある２つの被嵌合凹部５，５の手前に位置させて、後は、上述のシャワーフック７ａと同様の取付工程を踏む。本実施形態では、収納棚７ｂには嵌合凸部８が２つ取り付けられているが、受け部７ｂ１の幅や、載せる浴室用用品の重さに合わせて、１つ又は３つ以上取り付けても構わない。
【００２５】
以上のような機能部材７の嵌合凸部８を、ボード表面４ａに設けられた複数の被嵌合凹部５，５，…の内、いずれかの被嵌合凹部５に嵌合させて取り付ける。
【００２６】
このような構成とすることで、ボード表面４ａに凹設した被嵌合凹部５に機能部材７の嵌合凸部８を嵌め込むことができるので、使用者は正面側から取付位置を確認しながらボード４に機能部材７を取り付けることができる。ここで、ボード表面４ａの被嵌合凹部５の開口部５ｆには開口部５ｆを開閉する開閉蓋６が枢支してあるので、機能部材７を取り付けない状態では、開閉蓋６によって正面側に開口する被嵌合凹部５の開口部５ｆが閉じられて、正面側からは被嵌合凹部５の奥面５ｇが隠れた外観の良い状態とすることができる。また、開閉蓋６を被嵌合凹部５の奥面５ｇ側に回動自在となるよう開口部５ｆに枢支させたことで、機能部材７を取り付ける際、開閉蓋６を機能部材７の嵌合凸部８で押せば、開閉蓋６は被嵌合凹部５の奥面５ｇ側に回動して、被嵌合凹部５に嵌合凸部８を嵌合させることができる。よって、開閉蓋６を設けることで機能部材７の取り付けが面倒になることはない。また、被嵌合凹部５に嵌合凸部８を嵌合させた状態において、被嵌合凹部５の内側に開閉蓋６が位置するようにしたことで、機能部材７を取り付けた状態において、開閉蓋６が被嵌合凹部５の外側に出て外観を悪くするようなことはない。また、機能部材７は、ボード表面４ａに嵌合させて取り付けるので、不意に力がかかっても機能部材７の取付位置をずれ難くすることができる。また、ボード表面４ａには同大同形の被嵌合凹部５を複数凹設しているので、どの被嵌合凹部５にも機能部材７の嵌合凸部８を嵌合させることができ、複数の被嵌合凹部５の中から使用者にとって使い勝手の良い位置の被嵌合凹部５を選べば、ボード４の使い勝手の良い位置に機能部材７を取り付けることができる。
【００２７】
よって、本発明の取付構造は、正面側から取付位置を確認しながら機能部材７を取り付けることができて、機能部材７の取付位置がずれ難く、使い勝手の良い位置に機能部材７を取り付けることができる。
【００２８】
さらに、本発明の被嵌合凹部５と嵌合凸部８について詳しく説明する。
【００２９】
図１（ｂ）〜図１（ｄ）及び図４に示すように、被嵌合凹部５の奥面５ｇと、機能部材７に取り付けられた嵌合凸部８の先端部８ａには、磁性体９がそれぞれ取り付けられている。ここで、少なくとも一方の磁性体９は磁石である。なお、両方の磁性体９を磁石としても構わない。このような構成とすることで、被嵌合凹部５と嵌合凸部８とは吸着する。被嵌合凹部５の奥面５ｇに磁性体９を取り付けるには、被嵌合凹部５の奥面５ｇに磁性体９を接着させても良いし、被嵌合凹部５の奥面５ｇとボード裏面４ｂとの間のボード裏板４ｃ部分に磁性体９を設けても良い。また、嵌合凸部８の先端部８ａに磁性体９を取り付けるには、嵌合凸部８の先端部８ａに磁性体９を接着させても良いし、先端部８ａ近傍の嵌合凸部８内に磁性体９を設けても良い。ここで、ボード裏板４ｃが鋼板で形成されているのであれば、機能部材７に取り付けられた嵌合凸部８の先端部８ａのみに磁石からなる磁性体９を取り付けて、被嵌合凹部５と嵌合凸部８とを吸着させるようにしても構わない。
【００３０】
このように、被嵌合凹部５に嵌合凸部８を嵌合させるだけではなく、被嵌合凹部５と嵌合凸部８との間に吸着による保持力を生じさせることで、不意に力がかかっても機能部材７の取付位置をさらにずれ難くすることができる。
【００３１】
上記実施形態においては、被嵌合凹部５の開口部５ｆに枢支させた開閉蓋６は、垂下した状態の開閉蓋表面６ｃが、ボード表面４ａと略面一になるように設けていたが、面一にならず、ボード表面４ａより後側もしくは前側に枢支しても構わない。また、被嵌合凹部５に嵌合凸部８を嵌合させた状態において、嵌合凸部８の下面と被嵌合凹部５の下面５ｋの間に隙間ができるような上下方向の長さが短い嵌合凸部８を形成しても構わない。また、嵌合凸部８の奥行きは、被嵌合凹部５の開口部５ｆから奥面５ｇまでの長さと略同じとしたが、嵌合のみで被嵌合凹部５に嵌合凸部８を保持するのであれば、嵌合凸部８の奥行きは、被嵌合凹部５の開口部５ｆから奥面５ｇまでの長さより短くしても構わない。また、開閉蓋６は、開口部５ｆの上部に枢支させて奥面５ｇ側に上下に回動自在としたが、側部に枢支させて奥面５ｇ側に左右に回動自在としても構わない。この場合、開閉蓋６、被嵌合凹部５及び嵌合凸部８の形状は、開閉蓋６が奥面５ｇ側に回動自在となるよう変更しなければならない。また、ボード表面４ａに同大同形の被嵌合凹部５を左右方向及び上下方向に所定の間隔をおいて複数並列に凹設しなくとも、ボード表面４ａに同大同形の被嵌合凹部５を複数凹設させるものであってもよい。
【００３２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３３】
１      浴室
２      壁面パネル
３      鏡
４      ボード
４ａ    ボード表面
４ｂ    ボード裏面
４ｃ    ボード裏板
５      被嵌合凹部
５ａ    上底辺
５ｂ    下底辺
５ｃ    側辺
５ｄ    底辺
５ｅ    上辺
５ｆ    開口部
５ｇ    奥面
５ｈ    側面
５ｉ    枢支部
５ｊ    上面
５ｋ    下面
６      開閉蓋
６ａ    側端
６ｂ    被枢支部
６ｃ    開閉蓋表面
６ｄ    開閉蓋裏面
６ｅ    開閉蓋底面
７      機能部材
７ａ    シャワーフック
７ａ１  フック部
７ａ２  後端部
７ｂ    収納棚
７ｂ１  受け部
７ｂ２  貫通孔
７ｂ３  後端部
８      嵌合凸部
８ａ    先端部
９      磁性体
１０    被取付部
１１    支持レール
１２    取付部
【図１】
2011132698.tif 000003
【図２】
2011132698.tif 000004
【図３】
2011132698.tif 000005
【図４】
2011132698.tif 000006
【図５】
2011132698.tif 000007